(57)【要約】【課題】露出を変更する操作をするときに生じるユーザの負担を軽減することを目的とする。【解決手段】画像を表示装置に出力する出力手段と、第１の画像を、前記第１の画像のダイナミックレンジよりも狭いダイナミックレンジである第２の画像に変換する第１の変換手段と、前記第１の画像を、前記第１の画像の輝度表示が前記第１の画像のダイナミックレンジに対応していない表示装置に表示した場合に前記第１の画像のダイナミックレンジに対応した表示装置に表示した場合と近似した輝度表示となる第３の画像に変換する第２の変換手段と、前記第２の画像および前記第３の画像の何れかの画像に切替えて前記出力手段に出力させる切替手段と、を有する画像処理装置であって、前記切替手段は、前記第２の画像の出力中にユーザによる画像の明るさの調整操作に応じて、前記第２の画像から前記第３の画像に切替えることを特徴とする。【選択図】図１
2020120311.tif 000002
【特許請求の範囲】
【請求項１】
画像を表示装置に出力する出力手段と、
第１の画像を、前記第１の画像のダイナミックレンジよりも狭いダイナミックレンジである第２の画像に変換する第１の変換手段と、
前記第１の画像を、前記第１の画像の輝度表示が前記第１の画像のダイナミックレンジに対応していない表示装置に表示した場合に前記第１の画像のダイナミックレンジに対応した表示装置に表示した場合と近似した輝度表示となる第３の画像に変換する第２の変換手段と、
前記第２の画像および前記第３の画像の何れかの画像に切替えて前記出力手段に出力させる切替手段と、を有する画像処理装置であって、
前記切替手段は、
前記第２の画像の出力中にユーザによる画像の明るさの調整操作に応じて、前記第２の画像から前記第３の画像に切替えることを特徴とする画像処理装置。
【請求項２】
前記切替手段は、
前記第２の画像の出力中にユーザによる画像の明るさの調整操作以外の画像の調整操作があった場合には、前記第３の画像に切替えることなく前記第２の画像を前記出力手段に継続して出力させることを特徴とする請求項１に記載の画像処理装置。
【請求項３】
画像を表示装置に出力する出力手段と、
第１の画像を、前記第１の画像のダイナミックレンジよりも狭いダイナミックレンジである第２の画像に変換する第１の変換手段と、
前記第１の画像および前記第２の画像の何れかの画像に切替えて前記出力手段に出力させる切替手段と、を有する画像処理装置であって、
前記切替手段は、
前記第２の画像の出力中にユーザによる画像の明るさの調整操作に応じて、前記第２の画像から前記第１の画像に切替えることを特徴とする画像処理装置。
【請求項４】
前記切替手段は、
前記第２の画像の出力中にユーザによる画像の明るさの調整操作以外の画像の調整操作があった場合には、前記第１の画像に切替えることなく前記第２の画像を前記出力手段に継続して出力させることを特徴とする請求項３に記載の画像処理装置。
【請求項５】
前記第１の画像を、前記第１の画像の輝度表示が前記第１の画像のダイナミックレンジに対応していない表示装置に表示した場合に前記第１の画像のダイナミックレンジに対応した表示装置に表示した場合と近似した輝度表示となる第３の画像に変換する第２の変換手段を有し、
前記切替手段は、
前記第１の画像、前記第２の画像および前記第３の画像の何れかの画像に切替えて前記出力手段に出力させ、
前記第２の画像の出力中にユーザによる画像の明るさの調整操作に応じて、前記出力手段が出力する表示装置に基づき前記第２の画像から、前記第１の画像または前記第３の画像の何れかに切替えることを特徴とする請求項３または４に記載の画像処理装置。
【請求項６】
前記切替手段は、
前記出力手段が画像を出力する表示装置が、前記第１の画像のダイナミックレンジに対応している場合、前記第２の画像の出力中にユーザによる画像の明るさの調整操作に応じて、前記第２の画像から前記第１の画像に切替え、
前記出力手段が画像を出力する表示装置が、前記第１の画像のダイナミックレンジに対応していない場合、前記第２の画像の出力中にユーザによる画像の明るさの調整操作に応じて、前記第２の画像から前記第３の画像に切替えることを特徴とする請求項５に記載の画像処理装置。
【請求項７】
前記出力手段が画像を出力する表示装置から得られる情報に基づいて、前記表示装置が前記第１の画像のダイナミックレンジに対応しているか否かを判定する判定手段を有し、
前記切替手段は、
前記判定手段による判定に基づいて、前記第２の画像から、前記第１の画像または前記第３の画像の何れかに切替えることを特徴とする請求項５または６に記載の画像処理装置。
【請求項８】
前記切替手段は、
前記第２の画像の出力中にユーザによる画像の明るさの調整操作に応じて、前記第１の画像または前記第３の画像に切替えた後に、画像の明るさの調整操作以外の画像の調整操作があった場合または所定の期間を経過して操作がなされていない場合には、前記第２の画像に切替えることを特徴とする請求項１、２、５ないし７の何れか１項に記載の画像処理装置。
【請求項９】
複数の操作部ごとに、ユーザによる画像の明るさの調整操作が可能であって、
前記切替手段は、
前記操作部ごとに設定された切替え許可の情報に基づいて、前記第１の画像または前記第３の画像に切替えることを特徴とする請求項１、２、５ないし８の何れか１項に記載の画像処理装置。
【請求項１０】
前記操作部には、有線または無線で接続されるリモートコントローラを含むことを特徴とする請求項９に記載の画像処理装置。
【請求項１１】
前記第１の画像または前記第２の画像から波形モニタ画像を生成する生成手段を有し、
前記出力手段は、
前記波形モニタ画像を前記第１の画像、前記第２の画像または前記第３の画像の所定の領域に重畳して出力し、
前記生成手段は、
前記切替手段により前記第１の画像または前記第３の画像に切替わった場合でも前記第２の画像から波形モニタ画像を生成することを特徴とする請求項１、２、５ないし１０の何れか１項に記載の画像処理装置。
【請求項１２】
画像を表示装置に出力する出力ステップと、
第１の画像を、前記第１の画像のダイナミックレンジよりも狭いダイナミックレンジである第２の画像に変換する第１の変換ステップと、
前記第１の画像を、前記第１の画像の輝度表示が前記第１の画像のダイナミックレンジに対応していない表示装置に表示した場合に前記第１の画像のダイナミックレンジに対応した表示装置に表示した場合と近似した輝度表示となる第３の画像に変換する第２の変換ステップと、
前記第２の画像および前記第３の画像の何れかの画像に切替えて前記出力ステップにおいて出力させる切替ステップと、を有する画像処理方法であって、
前記切替ステップでは、
前記第２の画像の出力中にユーザによる画像の明るさの調整操作に応じて、前記第２の画像から前記第３の画像に切替えることを特徴とする画像処理方法。
【請求項１３】
画像を表示装置に出力する出力ステップと、
第１の画像を、前記第１の画像のダイナミックレンジよりも狭いダイナミックレンジである第２の画像に変換する第１の変換ステップと、
前記第１の画像および前記第２の画像の何れかの画像に切替えて前記出力ステップにおいて出力させる切替ステップと、を有する画像処理方法であって、
前記切替ステップでは、
前記第２の画像の出力中にユーザによる画像の明るさの調整操作に応じて、前記第２の画像から前記第１の画像に切替えることを特徴とする画像処理方法。
【請求項１４】
コンピュータを、請求項１ないし１１の何れか１項に記載の画像処理装置の各手段として機能させるためのプログラム。
【請求項１５】
コンピュータを、請求項１ないし１１の何れか１項に記載の画像処理装置の各手段として機能させるためのプログラムを記録したコンピュータが読み取り可能な記録媒体。
【発明の詳細な説明】
【技術分野】
【０００１】
本発明は、画像処理装置、画像処理方法、プログラムおよび記録媒体に関する。
【背景技術】
【０００２】
デジタルカメラやデジタルビデオカメラ等の撮影装置は、被写体像をＣＭＯＳセンサやＣＣＤセンサ等の撮像素子により画素単位で光電変換して、光の強度に応じた画像信号を生成し、生成した画像信号を変換した画像データに対して画像処理を行う。近年、撮像素子の性能が向上しており、高ダイナミックレンジの画像データを生成できるようになっている。以下、高ダイナミックレンジを「ＨＤＲ」、ＨＤＲ映像の撮影が可能な撮影装置を「ＨＤＲ対応カメラ」、ＨＤＲ映像を表示可能な表示装置を「ＨＤＲ対応モニタ」と表記する。これに対して、従来の標準的な輝度範囲（標準ダイナミックレンジ）の画像の表示にのみ対応している表示装置を「ＨＤＲ非対応モニタ」、標準ダイナミックレンジを「ＳＤＲ」と表記する。
【０００３】
現行の放送・配信環境ではＳＤＲ映像コンテンツが主流であるものの、家庭用テレビではＨＤＲ対応が進んでいることによりＨＤＲ映像コンテンツの需要も高まっている。そのため、特許文献１に開示されているようなＳＤＲ映像コンテンツとＨＤＲ映像コンテンツを同時に撮影できるカメラシステムが提案されている。
このようなシステムでは、ＨＤＲ映像出力と同時に、ＨＤＲ映像に対してゲイン差と呼ばれる一定の明るさの差分を付けたＳＤＲ映像を同時に出力することができる。ビデオエンジニア等のユーザが映像調整をする場合、まずＨＤＲ対応モニタでＨＤＲ映像を確認しながら露出を調整する。次に、ＳＤＲ映像を確認しながら上述したゲイン差を調整する。このとき、ゲイン差の調整でＨＤＲ側の露出が変化することはない。その後、ユーザは、ＳＤＲ映像で露出以外の調整を行う。このとき、設定されたゲイン差のまま、ＨＤＲ映像も連動して画質調整される。したがって、ユーザはＳＤＲ映像における知識や経験を活かした調整をすることができると共に、ＨＤＲ対応機器の投資を抑制することができる。
【先行技術文献】
【特許文献】
【０００４】
【特許文献１】特開２０１７−６０１１３号公報
【発明の概要】
【発明が解決しようとする課題】
【０００５】
しかしながら、特許文献１のようなシステムで、ユーザが露出を変更しようとした場合にはＳＤＲ映像が表示されているためにＨＤＲ映像を確認できず、ＨＤＲとして適正な露出を設定できないという問題がある。例えば、ユーザは露出を変更する場合には、ＨＤＲ映像が表示されているＨＤＲ対応モニタ側に移動しなければならず、仮にＨＤＲ対応モニタが別の撮影トラックにある場合にはユーザに負担が生じてしまう。
本発明は、このような問題点に鑑みてなされたものであり、露出を変更する操作をするときに生じるユーザの負担を軽減することを目的とする。
【課題を解決するための手段】
【０００６】
本発明は、画像を表示装置に出力する出力手段と、第１の画像を、前記第１の画像のダイナミックレンジよりも狭いダイナミックレンジである第２の画像に変換する第１の変換手段と、前記第１の画像を、前記第１の画像の輝度表示が前記第１の画像のダイナミックレンジに対応していない表示装置に表示した場合に前記第１の画像のダイナミックレンジに対応した表示装置に表示した場合と近似した輝度表示となる第３の画像に変換する第２の変換手段と、前記第２の画像および前記第３の画像の何れかの画像に切替えて前記出力手段に出力させる切替手段と、を有する画像処理装置であって、前記切替手段は、前記第２の画像の出力中にユーザによる画像の明るさの調整操作に応じて、前記第２の画像から前記第３の画像に切替えることを特徴とする。
【発明の効果】
【０００７】
露出を変更する操作をするときに生じるユーザの負担を軽減することができる。
【図面の簡単な説明】
【０００８】
【図１】画像処理装置の構成の一例を示す図である。
【図２】画像処理装置の処理の一例を示すフローチャートである。
【発明を実施するための形態】
【０００９】
以下、図面を参照して、本発明に係る実施形態について詳細に説明する。本実施形態では、画像処理装置としてカメラ（撮影装置）を例にして説明する。
図１は、カメラ１００の構成の一例を示す図である。
カメラ１００は、ＣＰＵ１０１、ＲＯＭ１０２、ＲＡＭ１０３、操作部１０４、リモートコントローラ１０５、撮像部１０６、画像処理回路１０７、ＳＤＲ画像変換回路１０８、ＨＤＲアシスト画像変換回路１０９、波形モニタ画像変換回路１１０を有する。また、カメラ１００は、画像出力回路１１１、ＳＤＩ端子１１２、ＨＤＭＩ（登録商標）端子１１３、ＨＤＭＩデータ通信回路１１４等を有する。
【００１０】
ＣＰＵ１０１は、不揮発性メモリであるＲＯＭ１０２に記憶されているプログラムや固定値データ（所定の期間の値等）を読み込み、プログラムに従ってカメラ各部の制御を行う。ＣＰＵ１０１は、切替手段、判定手段の一例に対応する。また、ＲＡＭ１０３は揮発性メモリであり、ＣＰＵ１０１が利用する可変値データや各回路から出力される画像データ等が記憶される。
操作部１０４は、ユーザによる操作を受け付ける。操作部１０４は例えば、電源スイッチ、画像調整用のダイヤルやスイッチ、メニュー操作用のスイッチ等の操作部材で構成される。また、操作部１０４は、設定値やメニュー等を表示する液晶パネル等を含めてもよい。更に、操作部１０４は、タッチパネルやポインティングデバイス等においてＧＵＩで実現されたものも含めてもよい。ＣＰＵ１０１は、操作部１０４の状態を定期的に監視し、操作部１０４で操作を受け付けることで、操作に応じた処理を実行する。
【００１１】
リモートコントローラ１０５は、ユーザによる操作を受け付ける。リモートコントローラ１０５は、上述した操作部１０４とは別体である。リモートコントローラ１０５は、有線または無線でＣＰＵ１０１に通信可能に接続される。リモートコントローラ１０５は例えば、操作部１０４と同様に画像調整用のダイヤルやスイッチ、メニュー操作用のスイッチ等の操作部材で構成される。また、リモートコントローラ１０５は、カメラ１００とは別体で構成されるＰＣ、タブレット端末、スマートフォン等の情報処理装置であって、カメラ１００を遠隔で操作できるアプリケーションを実装したものであってもよい。
【００１２】
撮像部１０６は、レンズ、イメージセンサおよびＡＤ変換器から構成される。レンズを通してイメージセンサ上に結像された被写体像は、アナログ画像信号として所定のフレームレートで取り出され、ＡＤ変換器によりデジタル画像データに変換される。イメージセンサは、Ｒ（赤），Ｇ（緑），Ｂ（青）に対応したカラーフィルタが配置され、各色の画像信号を取得する。なお、撮像部１０６は、分光されたＲ，Ｇ，Ｂを３つのイメージセンサで受光して各色の画像信号を取得する方式であってもよい。
本実施形態の撮像部１０６は、ＨＤＲに対応したものであり、従来よりも広い輝度範囲の画像信号を出力することができる。また、ＡＤ変換器は、１４ビットのビット深度で量子化を行い、輝度範囲の広さに対して階調性を損なわないようにする。更に、画像処理回路１０７でも１４ビットで画像データを処理することができる。
【００１３】
画像処理回路１０７は、撮像部１０６から出力されたＲ，Ｇ，Ｂの画像データに対してＨＤＲとしてのゲイン調整を行う。また、画像処理回路１０７は、必要に応じてその他の画像処理を行う。その後、画像処理回路１０７は、ゲイン調整した画像データに対してＨＤＲ用ガンマ補正を行うと共に、Ｙ（輝度），ＣｂＣｒ（色差）の画像データに変換する。ＹＣｂＣｒデータは、ＨＤＲ画像としてＲＡＭ１０３に記憶される。ここで、ガンマ補正とは、モニタ側の入力信号に対する表示（輝度）が線形関係となるように、カメラ側の出力信号を補正する処理である。また、画像処理回路１０７は、出力先に応じてビット深度を丸める処理をしてもよい。例えば、画像処理回路１０７は、ＳＤＩ端子１１２から画像を出力するためにビット深度を１２ビットないし１０ビットに丸める処理をする。
【００１４】
ＳＤＲ画像変換回路１０８は、ＨＤＲ画像を変換してＳＤＲ画像を生成する回路である。すなわち、ＳＤＲ画像変換回路１０８は、第１の画像を、第１の画像のダイナミックレンジよりも狭いダイナミックレンジである第２の画像に変換する。この変換は種々の方法が考えられるが、例えば高輝度域よりも低輝度域に多くの階調を割り当てるよう変換特性を設定したり、逆に低輝度域よりも高輝度域に多くの階調を割り当てるよう変換特性を設定することが考えられる。したがって、ＨＤＲ画像の信号値に対してＳＤＲ画像に割り当てる信号値の階調特性は、非線形な特性になることが多い。第１の画像はＨＤＲ画像の一例であり、第２の画像はＳＤＲ画像の一例である。また、ＳＤＲ画像変換回路１０８は第１の変換手段の一例である。
ここで上記のようなＨＤＲ画像からＳＤＲ画像への変換が行われた結果、ＨＤＲ画像で適正に露出が調整されていても、ＳＤＲ画像ではオーバー露出またはアンダー露出の画像として出力されてしまう場合がある。しかし、ＳＤＲ画像が適正露出になるよう調整すると、今度はＨＤＲ画像の露出が適正でなくなってしまう。そこでＳＤＲ画像変換回路１０８は、画像処理回路１０７から出力されたＨＤＲ画像に対して、着目する被写体がＳＤＲのビデオ信号レンジで適切に表現されるようにゲイン制御を行う。すなわち、ＨＤＲ画像に対して正または負のゲインをかけることにより、ＨＤＲ画像には影響を与えずに露出を調整した場合と同様の効果を得ることができる。このゲインは、カメラマンまたはビデオエンジニア等のユーザによりマニュアルで調整することができる。以下では、このゲインをＳＤＲゲインと呼び、画像処理回路１０７でのＨＤＲ画像のゲインと区別する。また、ＳＤＲ画像変換回路１０８は、ゲイン調整後の画像に対して、ＳＤＲ用ガンマ補正を行う。変換された画像は、ＳＤＲ画像としてＲＡＭ１０３に記憶される。
【００１５】
ＨＤＲアシスト画像変換回路１０９は、ＨＤＲ画像からＨＤＲ非対応モニタでも近似した輝度表示を行えるようにガンマ補正を行い、ＨＤＲアシスト画像に変換する回路である。すなわち、ＨＤＲアシスト画像変換回路１０９は、第１の画像を、第１の画像の輝度表示が第１の画像のダイナミックレンジに非対応のモニタに表示した場合に第１の画像のダイナミックレンジに対応するモニタに表示した場合と近似した輝度表示となる第３の画像に変換する。例えばＨＤＲ画像の信号値に対してＳＤＲ画像に割り当てる信号値の階調特性を線形な特性とすることで、ＨＤＲ画像に近似した画像を表現することが可能となる。第３の画像はＨＤＲアシスト画像の一例である。また、ＨＤＲアシスト画像変換回路１０９は第２の変換手段の一例である。変換されたＨＤＲアシスト画像は、ＲＡＭ１０３に記憶される。
【００１６】
波形モニタ画像変換回路１１０は、ＨＤＲ画像またはＳＤＲ画像から波形モニタ表示用の画像を生成する。波形モニタ画像変換回路１１０は生成手段の一例である。生成された画像は、波形モニタ画像としてＲＡＭ１０３に記憶される。
【００１７】
画像出力回路１１１は、ＲＡＭ１０３に記憶されている非圧縮のＹＣｂＣｒ画像データを読み込み、１本の同軸ケーブルで送信できるように、高速シリアル・インターフェース規格のデータに変換して映像信号を出力する。画像出力回路１１１は出力手段の一例である。ＣＰＵ１０１がＨＤＲ画像、ＳＤＲ画像およびＨＤＲアシスト画像のうち読み込む画像を選択したりユーザがメニュー等から直接、画像を指定したりすることで、画像出力回路１１１がＲＡＭ１０３から読み込む画像を決定する。画像出力回路１１１は、ＨＤＲ画像を読み込んだ場合にはＨＤＲ映像信号を出力する。また、画像出力回路１１１は、ＳＤＲ画像またはＨＤＲアシスト画像を読み込んだ場合にはＳＤＲ映像信号を出力する。また、画像出力回路１１１は、波形モニタ画像を読み込み、ＨＤＲ画像、ＳＤＲ画像またはＨＤＲアシスト画像の所定の領域に重畳して映像信号を出力する。
【００１８】
画像出力回路１１１は、ＳＤＩ端子１１２とＨＤＭＩ端子１１３に対して、ＲＡＭ１０３から読み込む画像を別々にして出力することが可能である。また、図１に示すカメラ１００は、ＳＤＩ端子１１２を２つ有する構成であるが、ＨＤＭＩ端子１１３を含めて複数の端子を有する構成であってもよい。画像出力回路１１１は、各端子ごとに画像を別々にして出力することも可能である。例えば、画像出力回路１１１は、１つのＳＤＩ端子１１２にはＳＤＲ画像を、他の１つのＳＤＩ端子１１２にはＨＤＲ画像を出力することができる。
【００１９】
ＳＤＩ端子１１２は、画像データをＳＤＩケーブルで伝送可能な所定の形式に変換して信号レベルを調整した上で出力する。
ＨＤＭＩ端子１１３は、モニタが接続されると信号が変化する信号線を有する。ＣＰＵ１０１は信号線の状態を読み取ることにより、モニタが接続されているか否かを判定する。ＨＤＭＩ端子１１３は、モニタが接続されると、画像データをＨＤＭＩケーブルで伝送可能な所定の形式に変換して信号レベルを調整した上で出力する。
【００２０】
ＨＤＭＩデータ通信回路１１４は、ＣＰＵ１０１からの指示により、接続されたモニタからＥＤＩＤ（Ｅｘｔｅｎｄｅｄ  Ｄｉｓｐｌａｙ  Ｉｄｅｎｔｉｆｉｃａｔｉｏｎ  Ｄａｔａ）を取得することができる。ＣＰＵ１０１は、ＥＤＩＤからモニタが表示可能な信号形式（解像度、フレームレート、ＨＤＲ／ＳＤＲ）の一覧を抽出し、ＲＡＭ１０３に記憶する。表示可能な信号形式の一覧をＨＤＭＩ能力情報という。
ＣＰＵ１０１は、ＨＤＭＩ能力情報に基づいて、接続されたモニタがＨＤＲに対応しているか否かを判定することができる。例えば、ＣＰＵ１０１はＨＤＭＩ端子１１３にＨＤＲ対応モニタが接続されていると判定した場合には、ＨＤＲ画像を選択して出力させる制御が可能となる。
【００２１】
また、カメラ１００は、ＲＡＭ１０３に記憶されたＨＤＲ画像またはＳＤＲ画像を所定の形式で圧縮・符号化して、メモリカード等の記録媒体に記録する回路を有していてもよい。この場合、カメラ１００は、メモリカードにＨＤＲ画像を記録しながら、ＳＤＩ端子１１２からはＳＤＲ画像を出力し、ＳＤＲでのライブ配信を行うことができる。
【００２２】
ここで、ユーザは、少なくともＳＤＩ端子１１２またはＨＤＭＩ端子１１３の一つからＨＤＲ画像を出力するようにメニューで設定を行い、ＨＤＲ対応モニタでＨＤＲ画像を確認しながらＨＤＲに最適な露出を調整する。その後、出力をＳＤＲ画像に切替える、または、他の端子からＳＤＲ画像を出力するようにメニューで設定を行い、ＳＤＲ画像を確認しながら、上述したＳＤＲゲイン調整を行う。なお、ＣＰＵ１０１は、ＨＤＲ画像の露出調整時、ＳＤＲゲイン調整時において、上述したＨＤＲ画像の波形モニタ画像、ＳＤＲ画像の波形モニタ画像をそれぞれ重畳して表示させることにより、ユーザは客観的に最適な露出を調整することができる。
【００２３】
次に、カメラ１００のＣＰＵ１０１による画像の切替処理について、図２のフローチャートを参照して説明する。図２のフローチャートは、ＣＰＵ１０１がＲＯＭ１０２に記憶されたプログラムをＲＡＭ１０３に展開して実行することにより実現される。
Ｓ２０１では、ＣＰＵ１０１は、ＳＤＲ画像を読み込んでＳＤＩ端子１１２およびＨＤＭＩ端子１１３にそれぞれ接続されたモニタに出力するように画像出力回路１１１に指示する。したがって、ＳＤＩ端子１１２およびＨＤＭＩ端子１１３に接続されたモニタにはＳＤＲ画像が表示される。
Ｓ２０２では、ＣＰＵ１０１は、ＳＤＲ画像から波形モニタ画像を生成するよう波形モニタ画像変換回路１１０に指示する。したがって、ＳＤＲ画像の所定の領域にＳＤＲ画像から生成された波形モニタ画像が重畳して表示される。
【００２４】
Ｓ２０３では、ＣＰＵ１０１は、操作がされていない期間をカウントするための無操作期間カウンタを０にする。
Ｓ２０４では、ＣＰＵ１０１は、操作部１０４で露出の調整操作が行われた否かを判定する。露出の調整操作は、画像の明るさの調整操作に対応する。操作部１０４で露出の調整操作が行われた場合にはＳ２０９に進み、そうではない場合にはＳ２０５に進む。
【００２５】
Ｓ２０５では、ＣＰＵ１０１は、リモートコントローラ１０５で露出の調整操作が行われたか否かを判定する。リモートコントローラ１０５で露出の調整操作が行われた場合にはＳ２１０に進み、そうではない場合にはＳ２０６に進む。
Ｓ２０６では、ＣＰＵ１０１は、操作部１０４またはリモートコントローラ１０５で露出の調整操作以外の画像の調整操作が行われたか否かを判定する。ここで、露出の調整操作以外の画像の調整操作には、上述したＳＤＲゲイン調整が含まれる。露出以外の調整操作が行われた場合にはＳ２０１に戻る。露出以外の調整操作時にＳＤＲ画像が出力されている場合には、Ｓ２０１においてＣＰＵ１０１はＳＤＲ画像を継続して出力させる。また、露出以外の調整操作時にＨＤＲ画像あるいはＨＤＲアシスト画像が出力されている場合には、Ｓ２０１においてＣＰＵ１０１はＳＤＲ画像に切替える。したがって、本来ユーザがＳＤＲ画像を見ながら操作をするのを、ＨＤＲ画像やＨＤＲアシスト画像を見ながら調整してしまうといった誤操作を防止することができる。なお、露出以外の調整操作が行われていない場合にはＳ２０７に進む。
【００２６】
Ｓ２０７では、ＣＰＵ１０１は、無操作期間カウンタが０であるか否かを判定する。無操作期間カウンタが０である場合にはＳ２０１に戻り、そうではない場合にはＳ２０８に進む。
Ｓ２０８では、ＣＰＵ１０１は、無操作期間カウンタをデクリメントする。すなわち、後述するＳ２１１、Ｓ２１３、Ｓ２１４においてＳＤＲ画像から、ＨＤＲ画像またはＨＤＲアシスト画像に切替えられてから無操作状態で所定の期間を経過することでＳ２０７からＳ２０１に進み、ＣＰＵ１０１はＳＤＲ画像に切替える。
【００２７】
Ｓ２０９では、ＣＰＵ１０１は、操作部１０４で露出の調整操作が行われたときに画像の切替えが許可されているか否かを判定する。切替えが許可されている場合にはＳ２１１に進み、そうではない場合にはＳ２０７に進む。
同様に、Ｓ２１０では、ＣＰＵ１０１は、リモートコントローラ１０５で露出の調整操作が行われたときに画像の切替えが許可されているか否かを判定する。切替えが許可されている場合にはＳ２１１に進み、そうではない場合にはＳ２０７に進む。
【００２８】
ここで、画像の切替えを許可するか否かは、予めユーザがメニュー等から設定可能である。ＣＰＵ１０１は、ユーザによる設定に応じて切替え許可のフラグをＲＡＭ１０３に記憶する。ここでは、切替え許可のフラグは、操作部１０４およびリモートコントローラ１０５ごとに別々に保持される。したがって、例えば、操作部１０４で露出の調整操作が行われた場合に画像の切替えを許可し、リモートコントローラ１０５で露出の調整操作が行われた場合に画像の切替えを許可しないような設定が可能である。
なお、リモートコントローラ１０５が複数ある場合でも、切替え許可のフラグはリモートコントローラ１０５ごとに別々に保持される。したがって、特定のリモートコントローラ１０５で露出の調整操作が行われた場合のみ画像の切替えを許可するような設定が可能である。
また、画像の切替え許可だけではなく、操作部１０４あるいはリモートコントローラ１０５ごとに露出の調整操作そのものを許可するか否かを設定できるようにしてもよい。
【００２９】
Ｓ２１１では、ＣＰＵ１０１は、ＨＤＲアシスト画像を読み込んでＳＤＩ端子１１２に接続されたモニタに出力するように画像出力回路１１１に指示する。したがって、ＳＤＩ端子１１２に接続されたモニタには、ＳＤＲ画像からＨＤＲアシスト画像に切替えて表示される。
Ｓ２１２では、ＣＰＵ１０１は、ＨＤＭＩ端子１１３にＨＤＲ対応モニタが接続されているか否かを判定する。ＣＰＵ１０１は、上述したＨＤＭＩ能力情報に基づいて、ＨＤＲ対応モニタが接続されているか否かを判定することができる。ＨＤＲ対応モニタが接続されていない場合にはＳ２１３に進み、ＨＤＲ対応モニタが接続されている場合にはＳ２１４に進む。
【００３０】
Ｓ２１３では、ＣＰＵ１０１は、ＨＤＲアシスト画像を読み込んでＨＤＭＩ端子１１３に接続されたＨＤＲ非対応モニタに出力するように画像出力回路１１１に指示する。したがって、ＨＤＭＩ端子１１３に接続されたＨＤＲ非対応モニタには、ＳＤＲ画像からＨＤＲアシスト画像に切替えて表示される。
Ｓ２１４では、ＣＰＵ１０１は、ＨＤＲ画像を読み込んでＨＤＭＩ端子１１３に接続されたＨＤＲ対応モニタに出力するように画像出力回路１１１に指示する。したがって、ＨＤＭＩ端子１１３に接続されたＨＤＲ対応モニタには、ＳＤＲ画像からＨＤＲ画像に切替えて表示される。
【００３１】
Ｓ２１５では、ＣＰＵ１０１は、ＳＤＲゲインが調整済みであるか否かを判定する。ＳＤＲゲインが調整されていない場合にはＳ２１６に進み、調整済である場合にはＳ２１６をスキップしてＳ２１７に進む。
Ｓ２１６では、ＣＰＵ１０１は、ＨＤＲ画像から波形モニタ画像を生成するように波形モニタ画像変換回路１１０に指示する。一方、ＨＤＲ画像またはＨＤＲアシスト画像に切替えたときにＳＤＲゲインが調整済みである場合にはＳ２１６がスキップされることから、ＳＤＲ画像から生成された波形モニタ画像が継続して重畳して表示される。このように、ＳＤＲ画像から生成された波形モニタ画像が表示されることにより、ユーザはＳＤＲ画像の輝度レベルを同時に確認することができる。なお、ＣＰＵ１０１は、ユーザからの指示に応じて、ＨＤＲ画像の波形モニタ画像に表示を戻すようにしてもよい。
【００３２】
Ｓ２１７では、ＣＰＵ１０１は、無操作期間カウンタを所定の期間の値に設定する。この所定の期間の値は、上述したＳ２０８でデクリメントされ、Ｓ２０７において０であると判定されることで、Ｓ２０１においてＨＤＲ画像またはＨＤＲアシスト画像からＳＤＲ画像に切替えられる。
【００３３】
このように、本実施形態によれば、カメラ１００のＣＰＵ１０１は、ＳＤＲ画像の出力中にユーザによる画像の明るさの調整操作に応じて、ＳＤＲ画像からＨＤＲ画像に切替える。したがって、ユーザが画像の明るさを調整操作する場合にＨＤＲ画像に自動的に切替えられることからＨＤＲ画像を見ながら画像の明るさを調整操作でき、画像の明るさを調整操作するときに生じるユーザの負担を軽減することができる。
また、本実施形態によれば、カメラ１００のＣＰＵ１０１は、ＳＤＲ画像の出力中にユーザによる画像の明るさの調整操作以外の画像の調整操作があった場合には、ＨＤＲ画像に切替えることなくＳＤＲ画像を継続して出力させる。したがって、本来ユーザがＳＤＲ画像を見ながら調整操作をするのを、ＨＤＲ画像を見ながら調整操作してしまうといった誤操作を防止することができる。
【００３４】
（他の実施形態）
本発明は、以下の処理を実行することによっても実現される。すなわち、上述した実施形態の機能を実現するプログラムをネットワークまたは各種記録媒体を介してシステムあるいは装置に供給し、そのシステムあるいは装置のコンピュータ（ＣＰＵやＭＰＵ等）がプログラムコードを読み出して実行する処理である。この場合、該プログラムおよび該プログラムを記録した記録媒体は本発明を構成する。
【００３５】
以上、本発明を上述した実施形態により説明したが、本発明は上述した実施形態にのみ限定されるものではなく、本発明の範囲内で変更等が可能である。
また、ＣＰＵ１０１が行うものとして説明した上述の処理は１つのハードウェアが行ってもよいし、複数のハードウェア（例えば、複数のプロセッサーや回路）が処理を分担することで行ってもよい。
また、上述した実施形態においては、本発明をカメラ１００に適用する場合を例にして説明したが、この場合に限定されない。本発明は、第１の画像と、第１の画像のダイナミックレンジよりも狭いダイナミックレンジである第２の画像とを切替えることができる装置であれば適用可能である。
【符号の説明】
【００３６】
１０１：ＣＰＵ  １０２：ＲＯＭ  １０３：ＲＡＭ  １０４：操作部  １０５：リモートコントローラ  １０６：撮像部  １０７：画像処理回路  １０８：ＳＤＲ画像変換回路  １０９：ＨＤＲアシスト画像変換回路  １１０：波形モニタ画像変換回路  １１１：画像出力回路  １１２：ＳＤＩ端子  １１３：ＨＤＭＩ端子  １１４：ＨＤＭＩデータ通信回路
【図１】
2020120311.tif 000003
【図２】
2020120311.tif 000004